(57)【特許請求の範囲】
【請求項１】
所定の放送波に多重化されて伝送される情報信号を受信する受信手段と、
上記情報信号を解析し番組内容に関する情報を抽出する解析手段と、
上記解析手段によつて抽出された上記番組内容に関する情報を記憶する記憶手段と、
複数の操作キーを有する入力手段と、
上記複数の操作キーに上記放送波として伝送される複数の放送チヤンネルを割り当てておき、当該各放送チヤンネルに対応する映像情報を各上記操作キーに対応させて表示すると共に、当該各映像情報に重畳して上記記憶手段に記憶された番組内容に関する情報を表示する表示処理手段と
を具え、
上記表示処理手段は、上記複数の放送チヤンネルのうちユーザにより指定された番組内容の種類に相当する放送チヤンネルと異なる放送チヤンネルについて、当該放送チヤンネルに対応する上記映像情報を網掛け状態又は低輝度状態にすることを特徴とするテレビジヨン信号受信装置。
【請求項２】
上記表示処理手段は、
上記複数の放送チヤンネルに対応する各上記映像情報を、上記入力手段における各上記操作キーの配置位置に対応させて表示する
ことを特徴とする請求項１に記載のテレビジヨン信号受信装置。
【発明の詳細な説明】
【０００１】
【目次】
以下の順序で本発明を説明する。
産業上の利用分野
従来の技術
発明が解決しようとする課題（図１０及び図１１）
課題を解決するための手段（図１〜図９）
作用（図１〜図９）
実施例
（１）テレビジヨン信号受信装置の全体構成（図１）
（２）ＣＰＵによる選局表示処理（図２〜図４）
（３）ＣＰＵによる番組検出処理（図５）
（４）ＣＰＵによる頻度順選局処理（図６及び図７）
（５）外部選局装置を接続した場合の処理（図８）
（６）実施例の動作及び効果
（７）他の実施例（図９及び図１２）
発明の効果
【０００２】
【産業上の利用分野】
本発明はテレビジヨン信号受信装置に関し、例えば複数の放送チヤンネルを受信し得るテレビジヨン装置に適用して好適なものである。
【０００３】
【従来の技術】
従来、テレビジヨン信号受信装置においては、複数の放送チヤンネルの中から受信する放送チヤンネルを設定又は変更する方法としてアツプダウン式の操作キーを押圧操作することにより、予め登録された順列又はその逆順に従つて受信チヤンネルを変更するようになされている。
またこの方法に加え、画面上において放送局名等の文字情報をいくつか表示しておき、この表示に対応した位置のリモートコントロール装置等の操作キーを押圧操作することにより、受信チヤンネルを変更するようになされたものがある。
【０００４】
【発明が解決しようとする課題】
ところがかかる構成のテレビジヨン信号受信装置においては、選択される受信チヤンネルに対応した放送局名等の文字情報を表示画面上において表示する必要がある。例えば、特開昭５６−１３６０８９号公報においては、テレビジヨン受像機の表示画面上に、縦横３×３に９分割されたマルチ画面を表示することで、９個の小画面を同時に表示し、さらに、予めチヤンネル記憶回路に記憶されたチヤンネル番号を、各小画面の上に重ねて表示する技術が開示されている。すなわち図１０に示すような選局画面２０を表示画面上に表示し、ユーザが当該選局画面２０の中の放送局名等及びこれに対応する番号が表示された表示領域２１を観ながら、放送局名に対応する番号を図１１に示すリモートコマンダ２３の操作キー２４を押圧操作することにより指定する。因に選局画面２０の番号表示領域２２に表示された番号は、リモートコマンダ２３の操作キー２４に対応して表示される。
この場合ユーザが各チヤンネルごとに適当な文字情報（放送局名等）を考えるか又は調べて、１文字ずつ登録しなければならず、煩雑な操作を避け得ない問題があつた。
【０００５】
本発明は以上の点を考慮してなされたもので、ユーザにとつて使い勝手の良いテレビジヨン信号受信装置を提案しようとするものである。
【０００６】
【課題を解決するための手段】
かかる課題を解決するため本発明においては、所定の放送波に多重化されて伝送される情報信号を受信する受信手段と、情報信号を解析し番組内容に関する情報を抽出する解析手段と、解析手段によつて抽出された番組内容に関する情報を記憶する記憶手段と、複数の操作キーを有する入力手段と、複数の操作キーに放送波として伝送される複数の放送チヤンネルを割り当てておき、当該各放送チヤンネルに対応する映像情報を各操作キーに対応させて表示すると共に、当該各映像情報に重畳して記憶手段に記憶された番組内容に関する情報を表示する表示処理手段とを設け、表示処理手段は、複数の放送チヤンネルのうちユーザにより指定された番組内容の種類に相当する放送チヤンネルと異なる放送チヤンネルについて、当該放送チヤンネルに対応する映像情報を網掛け状態又は低輝度状態にするようにした。
【０００７】
また本発明においては、表示処理手段は、複数の放送チヤンネルに対応する各映像情報を、各操作キーの配置位置に対応させて表示するようにした。
【０００８】
さらに本発明においては、ユーザが視聴した放送チヤンネルの履歴を視聴時間と対応させて記憶する視聴履歴記憶手段を設け、表示処理手段は、視聴履歴記憶手段に記憶された視聴履歴に基づいて、ユーザの視聴頻度が高い順に複数の映像情報の表示順序を変えるようにした。
【０００９】
さらに本発明においては、表示処理手段は、番組内容の種類を表す情報を表示するようにした。
【００１０】
さらに本発明においては、表示処理手段は、複数の放送チヤンネルの中から番組内容の種類を表す情報と異なる放送チヤンネルに対応する映像情報を、無表示状態、網掛け状態又は低輝度状態にするようにした。
【００１５】
【作用】
複数の放送チヤンネルに対応する各映像情報を各操作キーに対応させて表示すると共に、当該各映像情報に重畳して記憶手段に記憶された番組内容に関する情報を表示する一方、複数の放送チヤンネルのうちユーザにより指定された番組内容の種類に相当する放送チヤンネルと異なる放送チヤンネルについて、当該放送チヤンネルに対応する映像情報を網掛け状態又は低輝度状態にすることにより、ユーザは複数の操作キーの中から所望の放送チヤンネルに応じた操作キーを容易に指定して操作することができる。
【００１６】
【実施例】
以下図面について、本発明の一実施例を詳述する。
【００１７】
（１）テレビジヨン信号受信装置の全体構成
図１において１は全体としてテレビジヨン信号受信装置を示し、空間伝送される放送波（ＲＦ信号ＳＲＦ１）又はケーブル伝送される放送波（ＲＦ信号ＳＲＦ２）を、制御マイコン（ＣＰＵ）２において切換え制御されるＲＦスイツチ回路３において切り換え入力し、選択入力されたＲＦ信号ＳＲＦ１又はＳＲＦ２は選局回路４又は５に送出される。
【００１８】
選局回路４又は５は共にＣＰＵ２によつて制御され、それぞれユーザが選択したチヤンネルの信号を抜き出して中間周波数信号として映像中間周波増幅・検波回路６又は７に送出する。映像中間周波増幅・検波回路６又は７はそれぞれビデオ信号ＳＶ１  又はＳＶ２  を生成し、これを入出力切換えスイツチ回路８に送出する。
【００１９】
入出力切換えスイツチ回路８はＣＰＵ２によつて制御され、ビデオ信号ＳＶ１  又はＳＶ２  さらには外部選局装置９からのビデオ信号ＳＶ３  をくし型フイルタによつて輝度信号及び色差信号に変換した後、これを映像信号ＳＹＣとして映像信号処理回路１０、複数チヤンネル表示用回路１１及び情報信号解析回路１２に送出する。
【００２０】
ここで複数チヤンネルを表示する場合には、ＣＰＵ２は選局回路４又は５を制御することにより、映像信号ＳＹＣを所定時間毎にずらして順次複数チヤンネル表示用回路１１に入力する。複数チヤンネル表示用回路１１は、順次入力される映像信号ＳＹＣをＣＰＵ２から出力される制御信号ＳＸに基づいて、１チヤンネル毎にそれぞれ表示画面（図示せず）上の表示位置に対応したメモリアドレス（複数チヤンネル表示用回路１１に内蔵されてなる記憶装置）に順次記録していく。このとき予め設定した所定数のチヤンネルの記録が終了すると再度最初に記録したチヤンネルに戻つて記録を更新することを繰り返す。
【００２１】
これにより複数チヤンネル表示用回路１１は、順次記録した複数の映像信号ＳＹＣを１画面分の映像信号群と考え、各映像信号群の表示画面上の表示位置を表わすための映像表示位置信号ＳＺとして映像信号処理回路１０に出力する。これにより、例えば、図２〜図４に示す選局画面３１が、全体の表示画面３０の一部分の上に、子画面として重ねて表示される。この選局画面３１は、縦横３×３に９分割されたマルチ子画面として表示され、分割された９個の小画面の各々には、異なるチヤンネルの映像が駒落としの映像として表示される。このような複数に分割されたマルチ画面により、同時に複数の疑似的な動画を表示するための技術としては、例えば、前述の特開昭５６−１３６０８９号公報に開示されたメモリ・アドレツシング技術が知られているため、その詳細な説明については省略する。
【００２２】
情報信号解析回路１２は映像信号ＳＹＣから情報信号ＳＧを抜き出し、これを文字情報表示用回路１３において処理し得るデータ型に変換した後、文字情報表示用回路１３に送出する。またこれと同時に情報信号解析回路１２は情報信号ＳＧをＣＰＵ２に送出し、ＣＰＵ２は必要に応じて当該情報信号ＳＧを記憶装置（ＲＡＭ）１４に書き込む。
【００２３】
ＣＰＵ２はリモートコマンダ２３（図１１）から送出されるコマンド信号ＳＣＯＭ２を受信部１５を介して入力すると共に、操作キー１６からのコマンド信号ＳＣＯＭ１を入力することにより、ユーザの操作によつて得られるコマンド信号ＳＣＯＭ１又はＳＣＯＭ２に基づいてＲＯＭ１７からのプログラムに従つて制御動作する。
【００２４】
文字情報表示用回路１３は、ＣＰＵ２により制御され、情報信号解析回路１２から出力される情報信号ＳＧや記憶装置１４に記録しておいた情報信号ＳＧ、又はＣＰＵ２によりＲＯＭ１７から読み出した文字情報（音声やチヤンネル等）及び当該文字情報を表示する位置情報でなる情報信号ＳＧに基づいて、映像信号ＳＹＣに多重可能な情報信号ＳＧＮを生成し、これを映像信号処理回路１０に送出する。
【００２５】
映像信号処理回路１０は、入出力切換えスイツチ回路８から出力される映像信号ＳＹＣ及び複数チヤンネル表示用回路１１から出力される映像表示位置信号ＳＺに、文字情報表示用回路１３から出力される情報信号ＳＧＮを重畳し、その他の映像処理を行つた後、これをＲＧＢ信号でなる表示映像信号ＳＶＮとして表示装置（ＣＲＴ）１８に出力する。
【００２６】
このようにテレビジヨン信号受信装置１は、放送信号（ＳＲＦ１、ＳＲＦ２）等に符号化して多重化された情報信号ＳＧ又は情報専用チヤンネルによつて送られた情報信号ＳＧから取り出した情報をＣＰＵ２を用いて記憶装置１４に書込み、これを利用することにより、複数チヤンネルを映像表示し、かつ各チヤンネルの映像表示位置に対応させて放送局名等の表示をするようになされている。
【００２７】
（２）ＣＰＵによる選局表示処理
複数チヤンネルを映像表示する場合、ＣＰＵ２は以下の画面表示処理を行うことにより、各チヤンネルの映像表示位置に放送局名等の文字情報を当該表示映像に重畳して表示装置１８の表示画面３０上に表示し得るようになされている。
【００２８】
すなわち図２〜図４に示すように、表示装置１８の表示画面（親画面）３０上には選局画面（マルチ子画面）３１及び文字情報表示部３２が表示される。この選局画面３１は縦横３列の９個の小画面で構成され、この９個の小画面にそれぞれ選局されたチヤンネルが割り当てられて映像表示されると共に、当該映像表示に重ねて放送局名及び又はこれに対応する操作キー番号又はチヤンネル番号が表示される。また文字情報表示部３２には、放送局名及び又はこれに対応する操作キー番号又はチヤンネル番号がリモートコマンダ２３（図１１）の操作キー２４に対応して表示される。
【００２９】
まずＣＰＵ２は、記憶装置１４に書き込まれてなるユーザが決定した登録位置及び登録したチヤンネルの情報を読み出して、選局回路４又は５を制御することにより、入力切換えスイツチ回路８から出力される映像信号ＳＹＣ及び複数チヤンネル表示用回路１１から出力される映像表示位置信号ＳＺに基づいて表示装置１８の表示画面３０上の選局画面３１に複数チヤンネルが映像表示される。
【００３０】
次にＣＰＵ２は記憶装置１４に書き込まれてなる各チヤンネルに対応する文字情報等を読み出し、当該文字情報等を上述のユーザが決定した登録位置及び登録したチヤンネルの情報と組み合わせる。当該組み合わせた情報は、ＲＯＭ１７から読み出した文字情報及びこれを表示する位置情報と共に文字情報表示用回路１３に送出され、当該文字情報表示用回路１３はこれらの情報に基づいて映像信号処理回路１０に情報信号ＳＮＧを送出する。
【００３１】
映像信号処理回路１０は映像信号ＳＹＣ及び映像表示位置信号ＳＺに情報信号ＳＮＧを重畳させることにより、表示装置１８において、選局画面３１に表示されている複数チヤンネルの表示映像に重畳して、選局画面３１及び文字情報表示部３２に所定の文字情報等を表示することができる。
【００３２】
これによりユーザは選局画面３１及び文字情報表示部３２に表示された放送局名又はこれに対応したチヤンネル番号さらには操作キー番号の所定の組合せによつて表される文字情報を観ながら、当該文字情報をリモートコマンダ２３（図１１）の操作キー２４を押圧操作することにより指定することができる。この結果ＣＰＵ２は当該指定された操作キー２４に対応するチヤンネル番号を記憶装置１４から読み出し、選局回路４又は５を制御することによりチヤンネルを変更し得る。
【００３３】
ここで図２〜図４において、表示画面３０上の選局画面３１及び文字情報表示部３２の表示態様を示す。以下これについて説明する。
図２（Ａ）は選局画面３１に放送局名を表示すると共に、文字情報表示部３２に操作キー番号を表示した場合を表わす。図２（Ｂ）は選局画面３１にのみ放送局名及びこれに対応する操作キー番号を表示した場合を表わす。図２（Ｃ）は図２（Ｂ）の表示に加え、さらに文字情報表示部３２に操作キー番号を表示した場合を表わす。
【００３４】
図３（Ａ）は選局画面３１に操作キー番号を表示すると共に、文字情報表示部３２に放送局名を表示した場合を表わす。図３（Ｂ）は選局画面３１に操作キー番号を表示すると共に、文字情報表示部３２に放送局名及びこれに対応する操作キー番号を表示した場合を表わす。図３（Ｃ）は選局画面３１は文字情報表示部３２にのみ放送局名及びこれに対応する操作キー番号を表示した場合を表わす。
【００３５】
図４（Ａ）は選局画面３１にのみ放送局名及びこれに対応するチヤンネル番号を表示した場合を表わす。図４（Ｂ）は選局画面３１にチヤンネル番号を表示すると共に、文字情報表示部３２に放送局名及びこれに対応するチヤンネル番号を表示する場合を表わす。図３（Ｃ）は図３（Ｂ）の表示に加え、さらに文字情報表示部３２に操作キー番号を表示した場合を表わす。
【００３６】
（３）ＣＰＵによる番組検出処理
放送信号等に多重された符号化情報又は情報専用チヤンネルによつて伝送された情報信号から取り出した情報のうち、番組内容に関する情報が送られている場合には、ＣＰＵ２は以下の番組検出処理を行うことにより、ユーザが選択指定した番組内容の種類に相当するチヤンネルを、現在オンエアされている複数のチヤンネルの中から探し出して表示装置１８の表示画面３０上に表示し得るようになされている。
【００３７】
すなわち図２（Ｂ）と同様の表示態様でなる図５において、表示装置１８の表示画面３０上には選局画面３１に放送局名及びこれに対応する操作キー番号が表示され、表示画面３０上の選局画面３１の上側部に設けられた番組種類表示部３３には例えばニユース、映画、ドラマ等の番組内容の種類が表示されるようになされている。因に図５（Ａ）では、番組種類表示部３３にはスポーツを示す「ＳＰＯＲＴ」が表示され、これに相当する現在オンエア中のチヤンネルが選局画面３１の全ての画面に割り当てられてなる。
【００３８】
まずＣＰＵ２は、情報信号解析回路１２において映像情報のうち番組内容に関する情報を解析して、当該解析した情報を記憶装置１４に書き込んでおく。
次にＣＰＵ２はユーザが選択指定した番組内容の種類に関する情報を読み出して、選局回路４又は５を制御することにより、受信された複数のチヤンネルのうち当該番組内容の種類に相当するチヤンネルを検出し得る。当該検出結果に基づいて入力切換えスイツチ回路８からは映像信号ＳＹＣが出力されると共に、複数チヤンネル表示用回路１１から映像表示位置信号ＳＺが出力され、この結果表示装置１８の表示画面３０上の選局画面３１に上述の検出されたチヤンネルが割り当てられて映像表示される。
【００３９】
次にＣＰＵ２はユーザが選択した番組内容の種類に関する情報を、ＲＯＭ１７から読み出した文字情報及びこれを表示する位置情報と共に文字情報表示用回路１３に送出し、当該文字情報表示用回路１３はこれらの情報に基づいて映像信号処理回路１０に情報信号ＳＮＧを送出する。
【００４０】
映像信号処理回路１０は映像信号ＳＹＣ及び映像表示位置信号ＳＺに情報信号ＳＮＧを重畳させることにより、表示装置１８において、選局画面３１に表示されている上述の検出されたチヤンネルの表示映像に多重して、選局画面３１及び番組種類表示部３３に所定の文字情報等及び番組内容の種類を表示することができる。この結果、ユーザが選択指定した番組内容の種類に相当するチヤンネルが表示画面３０上に表示され、かくしてユーザは選局画面３１及び番組種類表示部３３に表示された所定の文字情報等及び番組内容の種類を観ながら、当該文字情報をリモートコマンダ２３（図１１）の操作キー２４を押圧操作することにより所望のチヤンネルを指定することができる。
【００４１】
ところで、表示画面３０上の選局画面３１に複数のチヤンネルが表示された状態において、ＣＰＵ２による番組検出処理が行われた場合には、例えば図５（Ｂ）に示すように、番組種類表示部３３にはニユースを示す「ＮＥＷＳ」が表示され、これに相当する現在オンエア中のチヤンネルが選局画面３１のうち一部であり、当該番組内容の種類と異なるチヤンネルはブランキングすなわち無表示状態にするようになされている（図の斜線部分）。
【００４２】
一方、図５（Ｃ）においては、番組種類表示部３３には映画を示す「ＭＯＶＩＥ」が表示され、これに相当する現在オンエア中のチヤンネルが選局画面３１のうち一部であり、当該番組内容の種類と異なるチヤンネルは輝度を下げて画面表示するようになされている（図の斜線部分）。
因に、例えばトグルスイツチによる操作によつて表示する番組内容の種類を次々と変える場合には、常に番組種類表示部３３が表示されていることから、ユーザにとつて操作が簡便となり得る。
【００４３】
（４）ＣＰＵによる頻度順選局処理
複数チヤンネルを映像表示し、かつ各チヤンネルの映像表示位置に対応させて放送局名等を表示し得るテレビジヨン信号受信装置１において、ＣＰＵ２は以下の頻度順選局処理を行う。この結果ユーザが指定した時刻にオンエアされるチヤンネルのうち、当該指定時刻（曜日や時間帯等）毎に所定期間に亘つてユーザが視聴したチヤンネル番号の統計をとり記憶装置１４に記憶しておくことにより、ユーザの視聴頻度が高い順にチヤンネルを表示装置１８の表示画面３０上に表示し得るようになされている。
【００４４】
まず図６はチヤンネル番号を記憶装置１４に記憶する処理手順を示し、ＣＰＵ２はステツプＳＰ１から当該処理手順に入る。ＣＰＵ２はステツプＳＰ２においてウオツチタイマすなわち時刻設定状態にした後、ステツプＳＰ３に移つてユーザが指定時刻を設定したか否かを判断する。このステツプＳＰ３において肯定結果が得られると、ＣＰＵ２はステツプＳＰ４に移つてユーザが指定した時刻にオンエアされるチヤンネルのチヤンネル番号を所定期間に亘つて記憶装置１４に記憶させて統計をとつた後、再びステツプＳＰ２に移る。これによりＣＰＵ２はステツプＳＰ２−ＳＰ３−ＳＰ４−ＳＰ２の処理手順を繰り返すようになされている。これに対してステツプＳＰ３において否定結果が得られると、ＣＰＵ２は再度ステツプＳＰ２に移る。
【００４５】
一方、図６は選局画面３１にチヤンネルを表示する処理手順を示し、ＣＰＵ２はステツプＳＰ１０から当該処理手順に入る。ＣＰＵ２はステツプＳＰ１１においてウオツチタイマすなわち時刻設定状態にした後、ステツプＳＰ１２に移つて記憶装置１４から現在時刻が当てはまるタイムテーブルのデータを読み込む。この後ＣＰＵ２はそのままステツプＳＰ１３に移つて、現在時刻におけるチヤンネルのうち一番視聴頻度が高いチヤンネルを選局した後、ステツプＳＰ１４に移る。
【００４６】
このステツプＳＰ１４においてＣＰＵ２は選局したチヤンネルを選局安定状態にさせた後、ステツプＳＰ１５に移つてスイツチを切換え制御して選局画面３１に当該チヤンネルを表示した後、ステツプＳＰ１６に移る。このステツプＳＰ１６において、ＣＰＵ２は次に続く視聴頻度が高いチヤンネルがあるか否かを判断する。ここで肯定結果が得られると、ＣＰＵ２はステツプＳＰ１７に移つて次のチヤンネルを選局した後、ステツプＳＰ１３に移る。これによりＣＰＵ２はステツプＳＰ１３−ＳＰ１４−ＳＰ１５−ＳＰ１６−ＳＰ１３の処理手順を繰り返すようになされている。これに対して、ステツプＳＰ１６において否定結果が得られると、ＣＰＵ２は再びステツプＳＰ１４に移る。
これによりユーザは習慣的に視聴している番組内容に相当するチヤンネルを簡単に選局することができる。
【００４７】
（５）外部選局装置を接続した場合の処理
放送局名や番組内容に関する情報が放送信号等に多重され又は専用チヤンネルによつて伝送されると共に、ケーブルボツクス（ＣＡＴＶに対応したチユーナ及びデコーダで構成される装置）を外部選局装置９（図１）として接続した場合には、通常のままでは当該外部選局装置９はテレビジヨン信号受信装置１に適用できない。
【００４８】
すなわち例えば図７（Ａ）に示すように、複数のチヤンネルの情報信号がケーブル４０を介して外部選局装置９に入力されると、当該外部選局装置９はこれら複数のチヤンネルのうち単数のチヤンネルのみを選択出力する。このため外部選局装置９からはＶＣＲ４１及び続くＴＶ４２に複数のチヤンネルの情報信号が出力されず、ＴＶ４２において選局画面が表示されない問題があつた。
【００４９】
そこで図７（Ｂ）に示すように、外部選局装置９及びケーブル４０間に分配回路４３を設け、当該分配回路４３から外部選局装置９及びＴＶ４２にそれぞれケーブル４４及び４５を接続するようにする。これによりケーブル４５を介してＴＶ４２内のテレビジヨン信号受信装置１（図１）に出力される情報信号は、外部選局装置９に入力されないことから複数のチヤンネルの情報信号として出力し得る。
【００５０】
このように外部選局装置９に入力される前の信号をテレビ信号受信装置１に入力することにより、当該入力信号から各チヤンネル等の情報を取り出すことができる。この結果、当該取り出された情報は、外部選局装置９に入力される前の信号において位置付けられてなるチヤンネル番号と、外部選局装置９をＣＰＵ２が制御したときに出力される映像信号とを対応付けて記憶装置１４に記憶される。
【００５１】
因にＣＰＵ２による選局表示処理が行われているときには、外部選局装置９が現在選局しているチヤンネルを表示すると共に、テレビジヨン信号受信装置１が外部選局装置９の選局を制御するようにするために外部機器制御用発振装置（図示せず）を設けることが考えられている。
【００５２】
次に放送局名や番組内容に関する情報が放送信号等に多重され又は専用チヤンネルによつて伝送される場合において、使用していない選局装置がある場合（複数の選局装置をもつ場合、テレビジヨン放送を見ていない場合又はテレビジヨン信号受信装置がスタンバイ状態の場合等）または情報信号解析回路を使用していない場合には、これらの選局装置と情報信号解析回路を用いることにより、絶えず情報信号を解析し、記憶又は更新させることができ、かくして選局画面３１に表示するチヤンネル選択の時間を短縮することができる。
【００５３】
すなわちテレビジヨン信号受信装置１には２つの入力端（図示せず）に情報信号が入力されるが、一方の入力端にはテレビジヨン信号受信装置がスタンバイ状態の場合には、情報信号解析回路１２をＣＰＵ２が制御することにより、絶えず情報信号を解析し、記憶又は更新させることができ、かくして選局画面３１に表示するチヤンネル選択の時間を短縮することができる。
【００５４】
因に、選局画面３１に表示する際に情報を解析すると、受信し得る全てのチヤンネルを当該チヤンネル数だけ選局を行つて情報を解析する必要があることから、映像を選択して表示するまでに非常に時間がかかる問題があつた。
【００５５】
一方、放送局名や番組内容に関する情報が放送信号等に多重され又は専用チヤンネルによつて伝送される場合において、情報を得るための専用の選局装置や解析装置を設けた場合においても上述と同様の効果が得られることとなる。
【００５６】
（６）実施例の動作及び効果
以上の構成において、放送信号等に多重された符号化情報又は信号専用チヤンネルによつて伝送された情報信号から取り出した情報をＣＰＵ２を用いて記憶装置１４に書き込み、これを使用することにより、表示装置１８の表示画面３０に表示されている複数チヤンネルの表示映像に重畳して各チヤンネルの映像表示位置に対応させて放送局名等の文字情報を表示することができる。
【００５７】
かくして以上の構成によれば、放送局名等の情報信号が多重されている放送信号等を受信し、解析及び表示するテレビジヨン信号受信装置１において、情報信号を解析して得た情報を記憶装置等に記憶させておくことにより、当該情報を複数チヤンネルの表示映像に関連付けて表示することができ、この結果文字情報や映像内容に応じた様々な選局方法を実現し得る。
【００５８】
（７）他の実施例
なお上述の実施例においては、図９は図３及び図４と異なり、選局画面３１を設けずに表示画面３０を縦横９画面に分割し、この９画面にそれぞれ選局されたチヤンネルが割り当てられて映像表示されるようになされ、この場合にも図３及び図４と同様な効果を有する。ここで、図９（Ａ）はこの９画面の映像表示に重ねて放送局名及び又はこれに対応する操作キー番号を表示した場合を表わす。また図９（Ｂ）はこの９画面の映像表示に重ねて放送局名を表示した場合を表わす。因に従来は、図１２において、表示画面２５を縦横３列の９画面に分割し、この９画面にそれぞれ選局されたチヤンネルが割り当てられて静止画が表示されると共に、当該映像表示に重ねてチヤンネル番号のみ表示されるものが提案されている。
【００５９】
また上述の実施例においては、選局画面３１を縦横３列の９画面に分割してなる場合について述べたが、本発明はこれに限らず、選局画面を例えば縦横４列の１６画面に分割しても良く、結果的に選局画面が複数に分割し得れば良い。
【００６０】
さらに上述の実施例においては、図５は図２（Ｂ）と同様の表示態様でなる場合について述べたが、本発明はこれに限らず、図５は図２〜図４又は図９のうちのいずれかであつても本発明を適用し得る。
【００６１】
【発明の効果】
上述のように本発明によれば、複数の放送チヤンネルに対応する各映像情報を各操作キーに対応させて表示すると共に、当該各映像情報に重畳して記憶手段に記憶された番組内容に関する情報を表示する一方、複数の放送チヤンネルのうちユーザにより指定された番組内容の種類に相当する放送チヤンネルと異なる放送チヤンネルについて、当該放送チヤンネルに対応する映像情報を網掛け状態又は低輝度状態にすることにより、ユーザは複数の操作キーの中から所望の放送チヤンネルに応じた操作キーを容易に指定して操作することができ、かくしてユーザにとつて使い勝手の良いテレビジヨン信号受信装置を実現し得る。
【図面の簡単な説明】
【図１】本発明によるテレビジヨン信号受信装置を示すブロツク図である。
【図２】本発明における選局表示画面を示す略線図である。
【図３】本発明における選局表示画面を示す略線図である。
【図４】本発明における選局表示画面を示す略線図である。
【図５】番組検出処理時における選局表示画面を示す略線図である。
【図６】記憶時の処理手順を示すフローチヤートである。
【図７】選局画面表示時の処理手順を示すフローチヤートである。
【図８】外部選局装置を示すブロツク図である。
【図９】他の実施例における選局表示画面を示す略線図である。
【図１０】従来の選局表示画面を示す略線図である。
【図１１】従来の選局表示画面を示す略線図である。
【図１２】リモートコマンダの構成を示す略線図である。
【符号の説明】
１……テレビジヨン信号受信装置、２……ＣＰＵ、３……ＲＦスイツチ回路、４、５……選局回路、６、７……映像中間周波増幅・検波回路、８……入出力切換えスイツチ回路、９……外部選局装置、１０……映像信号処理回路、１１……複数チヤンネル表示用回路、１２……情報信号解析回路、１３……文字情報表示用回路、１４……記憶装置、１５……ＲＯＭ、２３……リモートコマンダ、２４……操作キー、３０……表示画面（親画面）、３１……選局画面（マルチ子画面）、３２……文字情報表示部、３３……番組種類表示部。
【図１】
0003555696.tif 000002
【図２】
0003555696.tif 000003
【図３】
0003555696.tif 000004
【図４】
0003555696.tif 000005
【図５】
0003555696.tif 000006
【図６】
0003555696.tif 000007
【図７】
0003555696.tif 000008
【図８】
0003555696.tif 000009
【図９】
0003555696.tif 000010
【図１０】
0003555696.tif 000011
【図１２】
0003555696.tif 000012
【図１１】
0003555696.tif 000013